(57)【要約】【課題】既存のラックに棚板を容易に増設する。【解決手段】既存のラック１２の棚板１と同じ高さに取り付けられる増設用棚板１３と、この増設用棚板１３の一方に設けられた支持用筒部２３と、この支持用筒部２３が固定されて増設用棚板１３を既存のラック１２の棚板１と同じ高さで支持する支柱１５と、増設用棚板１３の他方に設けられた状態で既存のラック１２の棚板１に引っ掛けられて増設用棚板１３を既存のラック１２の棚板１と同じ高さで支持するフック１６とを備えた。フック１６は、帯状金属を側面形状がＳ字型に湾曲して形成し、その両端部に線材嵌合用切り欠き２５を設けた。【選択図】　　図１
2004097328.tif 000002
【特許請求の範囲】
【請求項１】
既存のラックの棚板と同じ高さに取り付けられる増設用棚板と、
当該増設用棚板の一方に設けられた支持用筒部と、
当該支持用筒部が固定されて上記増設用棚板を既存のラックの棚板と同じ高さで支持する支柱と、
上記増設用棚板の他方に設けられた状態で既存のラックの棚板に引っ掛けられて増設用棚板を既存のラックの棚板と同じ高さで支持するフックとを備えたことを特徴とする増設用ラック。
【請求項２】
既存の２つのラックの棚板の間に配設される増設用棚板と、
当該増設用棚板の周縁に設けられた状態で既存の各ラックの棚板に引っ掛けられて増設用棚板を既存のラックの棚板と同じ高さで支持するフックとを備えたことを特徴とする増設用ラック。
【請求項３】
請求項１又は２に記載の増設用ラックにおいて、
上記フックが、帯状金属を側面形状がＳ字型に湾曲して形成され、その両端部に線材嵌合用切り欠きを設けたことを特徴とする増設用ラック。
【発明の詳細な説明】
【０００１】
【発明の属する技術分野】
この発明は、既存のラックに簡単に棚板を増設することができる増設用ラックに関するものである。
【０００２】
【従来の技術】
いわゆるメタルラック等のように、４本の支柱に複数段の棚板を取り付けたラックは一般に知られている。このようなラックの構造は次のようになっている。
【０００３】
棚板１は、図２に示すように、金属線材を組み合わせて四角形板状に構成され、その角部に支持用筒部２が取り付けられている。支持用筒部２は円錐形筒状に形成されている。図３に示す支柱３には環状溝４が設けられている。この環状溝４は、上下方向に一定間隔毎に形成されている。環状溝４には支持用スリーブ５が取り付けられる。この支持用スリーブ５は、二つ割りの円錐形筒状に形成され、くさびとして機能する。
【０００４】
これにより、四角形の複数枚の棚板１が４本の支柱３に、任意の高さで支持されて、ラックが構成される。
【０００５】
このような構成のラックに対して棚板１を増設する場合は、既存の棚板１の横に新たに棚板１を取り付ける。このようにして増設するラックの例を図４に示す。この例では、既存のラック（４本の支柱３に４枚の棚板１が取り付けられた既存のラック）に２本の支柱３と４枚の棚板１を新たに増設して構成されている。具体的には、既存のラックの２本の支柱３を利用し、その２本の支柱３と新たに増設した２本の支柱３とで、４枚の新たな棚板１を任意の高さで支持して構成されている。即ち、既存のラックの２本の支柱３を含む４本の支柱３に、新たな棚板１の四隅の支持用筒部２がそれぞれ嵌合し、環状溝４に嵌合した支持用スリーブ５が支柱３と支持用筒部２との間に介在して、支持用筒部２を支柱３に固定する。これにより、棚板１を任意の高さで支柱３に固定して、ラックを構成する。
【０００６】
さらに、棚板を横に複数枚並べて増設する技術として、登録実用新案第３０５９９５４号の物置棚がある。
【０００７】
【特許文献１】
登録実用新案第３０５９９５４号の物置棚は、登録実用新案公報中の図５に示されているように、２つ割りの配置スリーブ４とＣ字型の固定スリーブ５１とで支え棒３を抱え込むようにして、２つの棚板５を支え棒３に固定する構造となっている。
【０００８】
【発明が解決しようとする課題】
しかしながら、上記構成のラックの場合、棚板１を増設するには、既存のラックの一方の支柱３を一旦取り外し、増設する棚板１の各支持用筒部２を、既存の棚板１の各支持用筒部２と共に、支柱３に通す必要があった。このため、既存のラックに対して新たな棚板１を増設するのは容易でなかった。
【０００９】
また、特許文献１の物置棚の場合、２つ割りの配置スリーブ４とＣ字型の固定スリーブ５１とを支柱に比較的容易に取り付けることができるが、既存のラックの場合、２つ割りの配置スリーブ４及びＣ字型の固定スリーブ５１に対応できる構造とはなっておらず、そのまま取り付けることはできない。このため、既存のラックに対して新たな棚板１を増設するのは容易でなかった。
【００１０】
本発明は、上述の点に鑑みてなされたもので、既存のラックに棚板を容易に増設することができる増設用ラックを提供することを目的とする。
【００１１】
【課題を解決するための手段】
前述した課題を解決するために第１の発明に係る増設用ラックは、既存のラックの棚板と同じ高さに取り付けられる増設用棚板と、当該増設用棚板の一方に設けられた支持用筒部と、当該支持用筒部が固定されて上記増設用棚板を既存のラックの棚板と同じ高さで支持する支柱と、上記増設用棚板の他方に設けられた状態で既存のラックの棚板に引っ掛けられて増設用棚板を既存のラックの棚板と同じ高さで支持するフックとを備えたことを特徴とする。
【００１２】
上記構成により、棚板を増設する場合は、増設用棚板の一方に設けられた支持用筒部を支柱に通して、増設用棚板を既存のラックの棚板と同じ高さで支持する。増設用棚板の他方は、フックを既存のラックの棚板に引っ掛ける。これにより、既存のラックに増設用棚板を、容易にかつ、既存のラックの棚板と同じ高さで、増設することができる。
【００１３】
第２の発明に係る増設用ラックは、既存の２つのラックの棚板の間に配設される増設用棚板と、当該増設用棚板の周縁に設けられた状態で既存の各ラックの棚板に引っ掛けられて増設用棚板を既存のラックの棚板と同じ高さで支持するフックとを備えたことを特徴とする。
【００１４】
上記構成により、２つ以上の既存のラックに対して新たな棚板を増設する場合は、隣り合う２つの既存のラックの間に増設用棚板を配設する。このとき、増設用棚板の周縁に設けられたフックが既存のラックの棚板に引っ掛かり、増設用棚板が既存のラックの棚板に支持される。これにより、既存のラックに増設用棚板を、容易にかつ、既存のラックの棚板と同じ高さで、増設することができる。
【００１５】
第３の発明に係る増設用ラックは、第１又は第２の発明に係る増設用ラックにおいて、上記フックが、帯状金属を側面形状がＳ字型に湾曲して形成され、その両端部に線材嵌合用切り欠きを設けたことを特徴とする。
【００１６】
上記構成により、増設用棚板の周縁に設けられたＳ字型のフックを既存のラックの棚板に引っ掛ける。これにより、既存のラックに棚板を容易に増設することができる。棚板が金属線材を組み合わせて構成されている場合は、金属線材の部分に線材嵌合用切り欠きを嵌合させる。これにより、フックの位置ずれを防止することができる。
【００１７】
【発明の実施の形態】
以下、本発明に係る増設用ラックについて、図面を参照しながら説明する。
【００１８】
本発明の実施形態について説明する。図１は本実施形態に係る増設用ラックを示す斜視図、図５は本実施形態に係る増設用ラックのフックを示す正面図、図６は本実施形態に係る増設用ラックのフックを示す平面図、図７は本実施形態に係る増設用ラックのフックを示す側面図、図８は本実施形態に係る増設用ラックのフックを示す裏面図である。
【００１９】
本実施形態に係る増設用ラック１１は、既存のラック１２に棚板を容易に増設することができるようにしたものである。
【００２０】
本実施形態に係る増設用ラック１１は、図１に示すように、既存のラック１２の棚板１と同じ高さに取り付けられる増設用棚板１３と、この増設用棚板１３の一方に設けられた固定手段１４と、この固定手段１４が固定されて増設用棚板１３を既存のラック１２の棚板１と同じ高さで支持する支柱１５と、増設用棚板１３の他方に設けられた状態で既存のラック１２の棚板１に引っ掛けられて増設用棚板１３を既存のラック１２の棚板１と同じ高さで支持するフック１６とから構成されている。
【００２１】
支柱１５は、図３に示す従来の支柱３と同様である。この支柱１５は、断面形状が円形の棒材で構成され、その外周面に環状溝４が形成されている。環状溝４は、後述する支持用スリーブ５の係止用凸条６が嵌合することでこの支持用スリーブ５を支持するための溝である。この環状溝４は、支柱１５の外周面に環状に形成され、一定間隔をおいて上下に複数設けられている。環状溝４の位置は、増設用ラック１１の大きさ等に合わせて適宜設定される。支柱１５の全長は、既存のラック１２の支柱３に合わせて適宜設定される。
【００２２】
増設用棚板１３は、図１に示すように、四角形板状に形成されている。具体的には、物の載置面となる床板部１８と、床板部１８の周縁を覆う周縁壁部１９とから構成されている。
【００２３】
床板部１８は、金属線材を縦横に組み合わせて四角形の平板状に形成されている。床板部１８の大きさは、既存のラック１２の棚板１の大きさや設置位置の状況等に応じて適宜設定される。
【００２４】
周縁壁部１９は、床板部１８の周縁から垂直方向へ垂下して形成されている。周縁壁部１９は、上下２本の水平線材１９Ａ，１９Ｂと、これらの水平線材１９Ａ，１９Ｂの間に設けられ波打つように曲げて各水平線材１９Ａ，１９Ｂをつなぐ中間線材１９Ｃとを組み合わせて構成されている。
【００２５】
なお、既存のラック１２の棚板１も増設用棚板１３と同様に構成されている。即ち、物の載置面となる四角形板状の床板部２０と、床板部２０の周縁を覆う周縁壁部２１とから構成されている。
【００２６】
固定手段１４は、図１に示すように、増設用棚板１３の一方の隅に２つだけ設けられている。この固定手段１４は、支持用筒部２３と、支持用スリーブ５（図３参照）とから構成されている。
【００２７】
支持用筒部２３は、増設用棚板１３を支柱１５に、支持用スリーブ５を介して固定するための部材である。支持用筒部２３は、その内部に円錐形状の嵌合穴（図示せず）を有している。この嵌合穴は、支持用スリーブ５とほぼ整合するように、上方へ向けて内径を縮小させて形成されている。これにより、支持用スリーブ５の内周面に設けられた後述の係止用凸条６（図３参照）が支柱１５の環状溝４に嵌合した状態で、支持用筒部２３を支持用スリーブ５にその上側から嵌合させることで、支持用筒部２３が支持用スリーブ５を締め付けるようになっている。即ち、支持用スリーブ５がくさびとして機能して支柱１５の外側面と支持用筒部２３の嵌合穴の内側面とに圧接されて、支持用筒部２３を支柱１５に確実に固定させる。これにより、支持用スリーブ５の係止用凸条６を支柱１５の任意の位置の環状溝４に嵌合させて、支持用筒部２３を支持用スリーブ５に取り付けることで、増設用棚板１３を任意の高さで支柱１５に固定することができるようになっている。
【００２８】
支持用筒部２３は、増設用棚板１３の周縁壁部１９の水平線材１９Ａ，１９Ｂに直接に接合されている。
【００２９】
支持用スリーブ５は、上述した従来の支持用スリーブ５と同様のもので、支柱１５の環状溝４に嵌合して支柱１５に固定されるための部材である。この支持用スリーブ５は、支柱１５を包み込むように二つ割りの円錐形筒状に形成されている。円錐形筒状に形成された支持用スリーブ５は、上方へ向けて直径が縮小し、くさびとして機能するようになっている。支持用スリーブ５の内側面には、支柱１５の環状溝４に直接に嵌合する係止用凸条６が設けられている。この係止用凸条６は円環状にかつ細い凸条に形成されている。この係止用凸条６が環状溝４に嵌合した状態で、二つ割りの支持用スリーブ５が支柱１５を包み込むように取り付けられることにより、支持用スリーブ５が支柱１５に対して上下方向へずれることなく、確実に支持されるようになっている。
【００３０】
フック１６は、増設用棚板１３を既存のラック１２の棚板１と同じ高さで支持するための部材である。フック１６は、増設用棚板１３の他方に設けられた状態で、既存のラック１２の棚板１に引っ掛けられて、増設用棚板１３を既存のラック１２の棚板１と同じ高さで支持する。フック１６は、図５〜図８に示すように、帯状金属を側面形状がＳ字型に湾曲して形成されている。これにより、逆方向に開口したＵ字状の嵌合溝１６Ａ，１６Ｂが形成される。このＵ字状の嵌合溝１６Ａ，１６Ｂは、既存のラック１２の棚板１の周縁壁部２１に上側から引っ掛けられ、増設用棚板１３の周縁壁部１９に下側から引っ掛けられる。Ｓ字型の帯状金属の両端部には、線材嵌合用切り欠き２５が設けられている。この線材嵌合用切り欠き２５は、増設用棚板１３の床板部１８及び棚板１の床板部２０を構成する金属線材を嵌合させるための切り欠きである。線材嵌合用切り欠き２５を金属線材に嵌合させた状態で、フック１６を棚板１の周縁壁部２１と、増設用棚板１３の周縁壁部１９とに引っ掛けると、フック１６がずれることがなくなり、増設用棚板１３が既存のラック１２の棚板１に安定して支持される。
【００３１】
［動作］
以上のように構成された増設用ラック１１は、次のようにして、既存のラック１２に組み付けられる。ここでは、図９に示すように、既存のラック１２の横に増設用ラック１１を取り付ける例を説明する。
【００３２】
増設用棚板１３の一方に設けられた支持用筒部２３を支柱１５に通して、固定手段１４によって増設用棚板１３を既存のラック１２の棚板１と同じ高さで支持する。増設用棚板１３の他方は、フック１６を既存のラック１２の棚板１に引っ掛ける。
【００３３】
これで、増設用ラック１１の取付作業が終了する。
【００３４】
［効果］
以上のように、増設用棚板１３をフック１６で既存のラック１２に取り付けるようにしたので、増設用ラック１１を既存のラック１２に取り付けて、容易に増設することができるようになる。このとき、既存のラック１２は、移動する必要もなく、棚板１に載置したものを取り除く必要もない。ただ、既存のラック１２の脇に増設用ラック１１の増設用棚板１３をフック１６で引っ掛けるだけで、既存のラック１２の棚板１を容易に増設することができる。
【００３５】
［変形例］
（１）　上記実施形態では、図９に示すように、既存のラック１２の横に１つの増設用ラック１１を取り付けたが、既存のラック１２に取り付けられた増設用ラック１１にさらに増設用ラック１１を取り付けてもよい。横に連続的に取り付けても、部屋の角部に合わせて９０度方向を変えて取り付けてもよい。これにより、容易に増設することができるようになる。
【００３６】
（２）　上記実施形態では、図９のように、既存のラック１２の横に並べた状態で増設用ラック１１を取り付けたが、図１０に示すように、既存のラック１２の正面又は裏面（図１０中の下側の面）に取り付けてＴ字型に構成してもよい。フック１６は、既存のラック１２の棚板１の周縁壁部２１に引っ掛けられ、支柱１５には取り付けられないため、既存のラック１２の正面又は裏面にも容易に取り付けることができる。また、増設用ラック１１は、２以上設けてもよい。増設用ラック１１に増設用ラック１１を連続的に取り付けてもよい。これにより、容易に増設することができるようになる。
【００３７】
また、図１１に示すように、既存のラック１２を９０度の角度を持たせて配設すると共に、その間に増設用ラック１１を取り付けてもよい。この場合、増設用棚板１３には、支持用筒部２３が１つだけ設けられて、１つの角部だけが支柱１５で支持される。対向する二面は４つのフック１６で既存のラック１２の棚板１に支持される。
【００３８】
（３）　上記実施形態では、増設用棚板１３の一方を支柱１５で支持し、他方をフック１６で支持するようにしたが、図１２〜図１４に示すように、固定手段１４及び支柱１５を用いずに、フック１６のみで増設用棚板１３を取り付けてもよい。
【００３９】
図１２は、既存の３つのラック１２を互いに接続する態様である。中央に長いラック１２、両側に短いラック１２を所定角度を持たせて配設し、これの間に増設用棚板１３を取り付ける。ここでは、増設用棚板１３を三角形状に構成し、４つのフック１６で各ラック１２の棚板１に取り付ける。これにより、中央の長いラック１２と、両側の短いラック１２の各棚板１を連続した面にすることができる。なお、増設用棚板１３は、三角形に限らず、扇形でもよい。また、ここでは既存の３つのラック１２の四隅を支持する支柱３のうち１カ所を１本の支柱３で共有したが、既存の３つのラック１２をそれぞれ４本の支柱３で支持するようにしてもよい。
【００４０】
図１３は、既存の２つのラック１２を互いに接続する態様である。２つのラック１２を一定間隔を空けて配設し、その間に四角形の増設用棚板１３を配設する。この場合、増設用棚板１３の両側に４つのフック１６を取り付けて、増設用棚板１３を、既存のラック１２の各棚板１に取り付ける。
【００４１】
図１４は、既存の２つのラック１２を一定角度を持たせた状態で、互いに接続する態様である。２つのラック１２を一定角度を持たせて配設し、その間に三角形の増設用棚板１３を配設する。この場合、増設用棚板１３の両側に４つのフック１６を取り付けて、増設用棚板１３を、既存のラック１２の各棚板１に取り付ける。増設用棚板１３は扇形でもよい。なお、ここでは２つの既存のラック１２の四隅を支持する支柱３のうち１カ所を１本の支柱３で共有したが、２つの既存のラック１２をそれぞれ４本の支柱３で支持するようにしてもよい。
【００４２】
【発明の効果】
以上、詳細に説明したように本発明によれば、次のような効果を奏することができる。
【００４３】
増設用棚板をフックで既存のラックに取り付けるようにしたので、増設用ラックを既存のラックに容易に取り付けることができる。これにより、既存のラックを移動したり、棚板に載置したものを取り除いたりすることなく、容易に増設することができるようになる。
【図面の簡単な説明】
【図１】本発明の実施形態に係る増設用ラックを示す斜視図である。
【図２】従来の棚板及び固定手段を示す正面図である。
【図３】従来の支柱及び支持用スリーブを示す斜視図及び正面図である。
【図４】従来のラックを示す正面図である。
【図５】本発明の実施形態に係る増設用ラックのフックを示す正面図である。
【図６】本発明の実施形態に係る増設用ラックのフックを示す平面図である。
【図７】本発明の実施形態に係る増設用ラックのフックを示す側面図である。
【図８】本発明の実施形態に係る増設用ラックのフックを示す裏面図である。
【図９】本発明の実施形態に係る増設用ラックの配設位置を示す平面図である。
【図１０】本発明の第１変形例に係る増設用ラックの配設位置を示す平面図である。
【図１１】本発明の第２変形例に係る増設用ラックの配設位置を示す平面図である。
【図１２】本発明の第３変形例に係る増設用ラックの配設位置を示す平面図である。
【図１３】本発明の第４変形例に係る増設用ラックの配設位置を示す平面図である。
【図１４】本発明の第５変形例に係る増設用ラックの配設位置を示す平面図である。
【符号の説明】
１１：増設用ラック、１２：既存のラック、１３：増設用棚板、１４：固定手段、１５：支柱、１６：フック、１８：床板部、１９：周縁壁部、２３：支持用筒部、２５：線材嵌合用切り欠き。
【図１】
2004097328.tif 000003
【図２】
2004097328.tif 000004
【図３】
2004097328.tif 000005
【図４】
2004097328.tif 000006
【図５】
2004097328.tif 000007
【図６】
2004097328.tif 000008
【図７】
2004097328.tif 000009
【図８】
2004097328.tif 000010
【図９】
2004097328.tif 000011
【図１０】
2004097328.tif 000012
【図１１】
2004097328.tif 000013
【図１２】
2004097328.tif 000014
【図１３】
2004097328.tif 000015
【図１４】
2004097328.tif 000016